(57)【要約】      （修正有）【課題】ユーザ毎にユーザインターフェース設定を定義することにより、ユーザの習熟度や好みに応じたユーザインターフェースを提供する。【解決手段】入力装置５０又は認証装置７０を通じて、ユーザにより認証情報が入力されると、監視操作卓用計算機３０の要求受付手段３０ａは、当該認証情報を受け付け、認証手段３０ｂが認証処理を行う。認証行為が正常である場合には、表示設定変更手段３０ｅが、表示用設定情報記憶部３０ｄから当該ユーザに関する表示用設定情報を読み出し、当該表示用設定情報をもとに表示アイテムに対する色やサイズ等の変更を表示制御手段３０ｆに対して行う。表示制御手段３０ｆは、変更された表示用設定情報に対応する表示アイテムを表示装置４０の画面上に表示する。【選択図】図４
2011003034.tif 000002
【特許請求の範囲】
【請求項１】
ネットワークを通じて電力系統を監視し制御する電力系統監視制御装置であって、
この電力系統監視制御装置の各種操作を制御する、表示装置が接続された１以上の操作卓用計算機を備え、
当該操作卓用計算機は、
ユーザからの認証の正否を判定する認証手段と、
前記表示装置に表示する各表示アイテムのサイズ、色、座標を含む表示用設定情報をユーザ毎に記憶する表示用設定情報記憶部と、
前記表示用設定情報記憶部から読み出した前記表示用設定情報をもとに表示アイテムを変更する変更手段と、
前記表示装置への表示を制御する表示制御手段と、を有し、
前記認証手段によりユーザからの認証が正常と判定された場合に、
前記変更手段は、当該ユーザに対応する表示用設定情報を前記表示用設定情報記憶部から読み出し、この表示用設定情報をもとに表示アイテムを変更し、
前記表示制御手段は、変更された表示アイテムを前記表示装置に表示することを特徴とする電力系統監視制御装置。
【請求項２】
前記操作卓用計算機は、前記表示用設定情報記憶部に格納された前記表示用設定情報を編集し、あるいは当該表示用設定情報記憶部に表示用設定情報を新規に登録する編集・登録手段を有することを特徴とする請求項１に記載の電力系統監視制御装置。
【請求項３】
大型表示装置と、
前記大型表示装置への各種操作を制御する大型表示装置用計算機と、を備え、
前記操作卓用計算機は、
前記大型表示装置に表示する各表示アイテムのサイズ、色、座標、表示倍率を含む大型表示用設定情報をユーザ毎に記憶する大型表示用設定情報記憶部と、
前記認証手段によりユーザからの認証が正常と判定された場合に、当該ユーザに対応する大型表示用設定情報を前記大型表示用設定情報記憶部から読み出す読出手段と、
前記読出手段により読み出された前記大型表示用設定情報を前記大型表示装置用計算機に通知する通知手段と、を有し、
前記大型表示用計算機は、前記通知手段により大型表示用設定情報が通知されると、当該大型表示用設定情報をもとに前記大型表示装置に表示する表示アイテムを設定することを特徴とする請求項１又は２に記載の電力系統監視制御装置。
【請求項４】
前記操作卓用計算機は、
各表示アイテムに対して、ガイド音声の出力の有無、ボリューム、出力内容を含むガイド音声情報をユーザ毎に記憶するガイド音声情報記憶部と、
ユーザからの入力により前記ガイド音声情報記憶部からガイド音声情報を読み出し、当該ガイド音声情報をもとにガイド音声を出力する音声出力手段と、を有することを特徴とする請求項１〜３のいずれか１項に記載の電力系統監視制御装置。
【請求項５】
前記操作卓用計算機は、ＩＣカードに記憶された個人用設定情報を読み出し、前記表示用設定情報記憶部に表示用設定情報として登録する登録手段を有することを特徴とする請求項１〜４のいずれか１項に記載の電力系統監視制御装置。
【請求項６】
前記操作卓用計算機は、前記表示用設定情報記憶部に格納された前記表示用設定情報を個人用設定情報としてＩＣカードに書き込む書込手段を有することを特徴とする請求項１〜５のいずれか１項に記載の電力系統監視制御装置。
【請求項７】
前記操作卓用計算機は、
マウスを含む入力装置と、
前記表示制御手段により前記表示装置に表示されるマウスポインタの色、サイズ、ダブルクリックの時間間隔、移動速度、左右クリックの動作設定を含むマウス動作設定情報を記憶するマウス動作設定情報記憶部と、
マウス動作設定情報記憶部から当該ユーザに対応するマウス動作設定情報を読み出し、マウスの動作内容を設定するマウス動作設定手段と、を有し、
前記表示制御手段は、前記マウス動作設定手段により設定された動作内容でマウスポインタを前記表示装置に表示することを特徴とする請求項１〜６のいずれか１項に記載の電力系統監視制御装置。
【請求項８】
ネットワークを通じて電力系統を監視し制御する電力系統監視制御装置の制御方法であって、
この電力系統監視制御装置の各種操作を制御する、表示装置が接続された１以上の各操作卓用計算機は、
ユーザからの認証の正否を判定する認証ステップと、
前記表示装置に表示する各表示アイテムのサイズ、色、座標を含む表示用設定情報がユーザ毎に記憶された表示用設定情報記憶部から読み出した前記表示用設定情報をもとに表示アイテムを変更する変更ステップと、
前記表示装置への表示を制御する表示制御ステップと、を実行し、
前記認証ステップでユーザからの認証が正常と判定された場合に、
前記変更ステップでは、当該ユーザに対応する表示用設定情報を前記表示用設定情報記憶部から読み出し、この表示用設定情報をもとに表示アイテムを変更し、
前記表示制御ステップで、変更された表示アイテムを前記表示装置に表示することを特徴とする電力系統監視制御装置の制御方法。
【請求項９】
前記操作卓用計算機は、前記表示用設定情報記憶部に格納された前記表示用設定情報を編集し、あるいは当該表示用設定情報記憶部に表示用設定情報を新規に登録する編集・登録ステップを実行することを特徴とする請求項８に記載の電力系統監視制御装置の制御方法。
【請求項１０】
ネットワークを通じて電力系統を監視し制御する電力系統監視制御装置の制御プログラムであって、
この電力系統監視制御装置の各種操作を制御する、表示装置が接続された１以上の各操作卓用計算機は、コンピュータに、
ユーザからの認証の正否を判定する認証処理と、
前記表示装置に表示する各表示アイテムのサイズ、色、座標を含む表示用設定情報がユーザ毎に記憶された表示用設定情報記憶部から読み出した前記表示用設定情報をもとに表示アイテムを変更する変更処理と、
前記表示装置への表示を制御する表示制御処理と、を実行させ、
前記認証処理でユーザからの認証が正常と判定した場合に、
前記変更処理では、当該ユーザに対応する表示用設定情報を前記表示用設定情報記憶部から読み出し、この表示用設定情報をもとに表示アイテムを変更し、
前記表示制御処理で、変更された表示アイテムを前記表示装置に表示することを特徴とする電力系統監視制御装置の制御プログラム。
【発明の詳細な説明】
【技術分野】
【０００１】
本発明は、電力系統を監視制御する装置に係り、ユーザの認証機能と、ユーザインターフェースの設定変更機能を有する電力系統監視装置、その制御方法及び制御プログラムに関する。
【背景技術】
【０００２】
近年の電力系統監視制御装置では、運用箇所の集中化及び高度情報化の進展により、画面に表示するアイテムの増加に伴う、画面操作手順の複雑化、表示アイテムの極小化や配色の多様化が伺える。
【０００３】
例えば、特許文献１によれば、設備機器の監視装置として、設備機器の運転情報や配置情報を取得する際の条件と当該設備機器を操作する際の条件をユーザが独自に設定することができ、さらに、その設定時における表示項目をカスタマイズすることが可能な技術が開示されている。また、この特許文献１には、アクセスするユーザのユーザ情報を、データベースに格納されたユーザ情報と照会し、認証行為が正常である場合に、利用許可を下す認証機能に関する技術が開示されている。
【先行技術文献】
【特許文献】
【０００４】
【特許文献１】特開２００２−２３８０８４号公報
【発明の概要】
【発明が解決しようとする課題】
【０００５】
ところで、上記のような特許文献１に記載の発明において、監視装置の画面上に表示されるメニュー項目等の表示対象は、通常、プログラム内部の設定情報に応じて作成された種々の表示アイテムにより構成される。
【０００６】
しかし、この画面上に表示される表示アイテムのサイズや色等は、システム開発時に決められた仕様に固定されている。そのため、ユーザによっては、運用開始後において、表示された文字や数字を小さいと感じ、また、配色が好ましくない等を理由に、当該表示アイテムを視覚的に認識し難いという問題が生じていた。なかには、この表示アイテムのサイズや配色によって、ユーザインターフェースの画面上における操作性が低いと感じるユーザも存在した。
【０００７】
特に、電力系統を監視する際、ユーザはこの監視装置の画面を長時間目視しなければならないため、ユーザの好みでないのであれば、必要以上にストレスを感じるケースも伺え、データの見落としや選択ミス等により作業効率の低下を招く。
【０００８】
また、この電力系統を監視する制御装置のユーザインターフェースとして、一般的に、画面に表示されたアイテムをマウスやキーボード等を用いて操作する方式が主流であるが、これらはパソコンなどで画面操作の経験が十分にあるユーザを想定して仕様が決められている。そのため、ユーザインターフェースに対するユーザの習熟度が作業効率に大きく影響し、習熟度の低いユーザにおいては操作が難しく、入力ミス等により作業効率が大幅に低下するといった問題が生じた。
【０００９】
本発明は、上記課題を解消するために提案されたものであって、その目的は、ユーザ毎にユーザインターフェース設定を定義することにより、ユーザの習熟度や好みに応じたユーザーインターフェースを提供することが可能な電力系統監視制御装置、その制御方法及び制御プログラムを提供することにある。
【課題を解決するための手段】
【００１０】
上述した目的を達成するために、本発明は、ネットワークを通じて電力系統を監視し制御する電力系統監視制御装置であって、この電力系統監視制御装置の各種操作を制御する、表示装置が接続された１以上の操作卓用計算機を備え、当該操作卓用計算機は、ユーザからの認証の正否を判定する認証手段と、前記表示装置に表示する各表示アイテムのサイズ、色、座標を含む表示用設定情報をユーザ毎に記憶する表示用設定情報記憶部と、前記表示用設定情報記憶部から読み出した前記表示用設定情報をもとに表示アイテムを変更する変更手段と、前記表示装置への表示を制御する表示制御手段と、を有し、前記認証手段によりユーザからの認証が正常と判定された場合に、前記変更手段は、当該ユーザに対応する表示用設定情報を前記表示用設定情報記憶部から読み出し、この表示用設定情報をもとに表示アイテムを変更し、前記表示制御手段は、変更された表示アイテムを前記表示装置に表示することを特徴とする。
【発明の効果】
【００１１】
以上のような本発明によれば、ユーザの好みに応じて画面上に表示する表示アイテムの配色やサイズ等を定義することが可能となるため、ユーザ毎の視覚的な認識性を高め、ストレスや目の疲労等を軽減することができ、また、長時間の画面操作も快適に実施することができる。これにより、ユーザインターフェースの操作性を向上させることも可能となる。
【図面の簡単な説明】
【００１２】
【図１】本発明の第１の実施形態に係る構成例を示す機能ブロック図
【図２】本発明の第１の実施形態に係る監視操作卓用計算機の構成例を示す機能ブロック図
【図３】本発明の第１の実施形態に係る表示用設定情報記憶部の構成例を示す図
【図４】本発明の第２の実施形態に係る監視操作卓用計算機の構成例を示す機能ブロック図
【図５】本発明の第３の実施形態に係る監視操作卓用計算機の構成例を示す機能ブロック図
【図６】本発明の第３の実施形態に係る大型表示用設定情報記憶部の構成例を示す図
【図７】本発明の第４の実施形態に係る監視操作卓用計算機の構成例を示す機能ブロック図
【図８】本発明の第４の実施形態に係る音声出力設定情報記憶部の構成例を示す図
【図９】本発明の第５の実施形態に係る監視操作卓用計算機の構成例を示す機能ブロック図
【図１０】本発明の第５の実施形態に係る表示用設定個人情報の構成例を示す図
【図１１】本発明の第６の実施形態に係る監視操作卓用計算機の構成例を示す機能ブロック図
【図１２】本発明の第６の実施形態に係るマウス動作設定情報記憶部の構成例を示す図
【発明を実施するための形態】
【００１３】
［本実施形態］
［１．第１の実施形態］
［１．１．全体構成］
次に、本発明を実施するための第１の実施形態に係る、ユーザ認証機能とユーザーインターフェース設定の変更機能を備えた電力系統監視制御装置の全体構成について、図１を参照して以下に説明する。なお、本実施形態では、電力系統の監視制御自体は一般的なものと同様であり、監視用の操作処理に特徴を有するため、電力系統の監視処理についての説明は省略する。図１は、第１の実施形態に係る電力系統監視制御装置の構成例を示す機能ブロック図である。
【００１４】
図１に示す通り、電力系統監視制御装置１００は、後述する監視操作の各種機能を制御する１以上の監視操作卓用計算機３０（３０−１〜３０−ｎ）に、ユーザインタフェースとして、電力系統画面や日報記録画面などを表示する表示装置４０と、画面上の表示アイテムを操作するためのマウス、キーボードや表示装置４０上のタッチパネル等の入力装置５０と、チャイム鳴動やガイド音声を出力するための音声出力装置６０と、が接続されている。
【００１５】
また、この監視操作卓用計算機３０には、認証情報が入力される認証装置７０が接続され、この認証装置７０により入力された認証情報が当該計算機３０に格納されたユーザ情報と照会され認証行為が正常であるかかが判定される。なお、各監視操作卓用計算機３０は、監視対象となる電力系統に繋がる電力系統ネットワーク９０に接続された通信回線８０を介して接続されている。
【００１６】
また、監視操作卓用計算機３０には、この通信回線８０を通じて、電量系統画面等を表示する大型表示装置１０と、当該大型表示装置への表示等を含む各種操作を制御する１以上の大型表示装置用計算機２０（２０−１〜２０−ｎ）が接続されている。この大型表示装置用計算機２０は、大型表示装置１０上への表示を制御する表示制御手段２０ａと、表示用のデータが格納された大型画面用表示データ記憶部２０ｂと、を有している。
【００１７】
［１．２．監視操作卓用計算機の具体的な構成］
次に、図２を参照して、監視操作卓用計算機３０が有する具体的な処理手段について詳述する。なお、図２は、第１の実施形態に係る監視操作卓用計算機３０の具体的な構成を示す機能ブロック図である。
【００１８】
図２に示す通り、監視操作卓用計算機３０は、入力装置５０や認証装置７０を通じたユーザによる入力情報を受け付ける要求受付手段３０ａを有している。また、監視操作卓用計算機３０は、要求受付手段３０ａを通じて受け付けた入力装置５０や認証装置７０からの入力情報（認証情報）をユーザ情報記憶部３０ｃに格納されたユーザ情報と照合することで、ユーザによる認証行為が正常であるかを判定する認証手段３０ｂを有している。
【００１９】
また、第１の実施形態の特徴的な構成として、この監視操作卓用計算機３０は、画面上に表示する表示アイテムの色、サイズや座標等が定義されたユーザ毎の表示用設定情報を格納する表示用設定情報記憶部３０ｄと、当該表示用設定情報記憶部３０ｄからユーザに応じた表示用設定情報を読み出し、後述する表示制御手段３０ｆによる表示処理において、当該表示用設定情報をもとに表示アイテムを変更する表示設定変更手段３０ｅと、を有している。
【００２０】
表示用設定情報記憶部３０ｄは、図３に示す通り、ユーザに応じて予め設定された表示する画面（画面１〜ｎ）毎の各表示アイテム（表示アイテム１〜ｍ）に対する色、サイズ、座標等の表示に関する表示用設定情報を格納する。
【００２１】
また、監視操作卓用計算機３０は、表示装置４０の画面上への表示を制御する表示制御手段３０ｆを有し、この表示制御手段３０ｆが、入力装置５０を通じて入力され要求受付手段３０ａで受け付けた入力情報に応じて、また、表示設定変更手段３０ｅにより変更されたユーザ毎の表示アイテムの色、サイズ等の表示用設定情報に応じて、画面への表示処理を実行する。すなわち、表示制御手段３０ｆは、表示設定変更手段３０ｅによる表示アイテムの変更があった場合には、当該変更に応じた表示アイテムの色、サイズ等の異なる画面を表示する。
【００２２】
監視操作卓用計算機３０は、また、音声出力装置６０に対して音声出力を行う音声出力手段３０ｇを有し、この音声出力手段３０ｇは、要求受付手段３０ａにより受け付けた入力情報に応じた、あるいは表示制御手段３０ｆによる画面処理に応じた音声データを音声出力装置６０に出力する。
【００２３】
［１．３．作用効果］
次に、上記のような構成を有する電力系統監視制御装置によるユーザ毎に設定された表示用設定情報の表示装置４０への表示処理手順を説明する。
【００２４】
まず、マウス、キーボードや表示装置４０の画面上におけるタッチパネル等である入力装置５０、あるいは認証装置７０を通じて、ユーザにより認証情報が入力されると、監視操作卓用計算機３０の要求受付手段３０ａは、当該認証情報を受け付け、認証手段３０ｂによる認証処理が行われる。具体的には、この認証手段３０ｂは、要求受付手段３０ａにより受け付けた認証情報とユーザ情報記憶部３０ｃに格納されたユーザ情報とを照合し、認証行為が正常であるかを判定する。
【００２５】
認証行為が正常であると判定された場合には、表示設定変更手段３０ｅが、表示用設定情報記憶部３０ｄから当該ユーザに関する表示用設定情報を読み出し、当該表示用設定情報をもとに表示アイテムに対する色やサイズ等の変更を表示制御手段３０ｆに対して行う。これにより、表示制御手段３０ｆは、変更された表示用設定情報に対応する表示アイテムを表示装置４０の画面上に表示する。すなわち、ユーザ毎に表示アイテムのサイズや表示色等の異なる画面を表示装置４０に表示することができる。
【００２６】
以上のような第１の実施形態によれば、ユーザの好みに応じて画面上に表示する表示アイテムの配色やサイズ等を定義することが可能となるため、ユーザ毎の視覚的な認識性を高め、ストレスや目の疲労等を軽減することができ、また、長時間の画面操作も快適に実施することができる。これにより、ユーザインターフェースの操作性を向上させることもできる。
【００２７】
［２．第２の実施形態］
［２．１．構成］
次に、本発明の第２の実施形態に係る電力系統監視制御装置の構成について図４を参照して説明する。なお、図４は、第２の実施形態に係る監視操作卓用計算機３０の具体的な構成を示す機能ブロック図である。
【００２８】
図４に示すように、第２の実施形態では、第１の実施形態の構成に加え、監視操作卓用計算機３０が、表示用設定情報記憶部３０ｄに格納される設定情報の編集、及び当該表示用設定情報記憶部３０ｄへの新規登録を行う表示用設定情報編集・登録手段３０ｈを備えている。
【００２９】
［２．２．作用効果］
上記のような構成を有する第２の実施形態に係る電力系統監視制御装置では、次のように、表示用設定情報記憶部３０ｄに定義された各画面表示アイテムの色やサイズ等である表示用設定情報を編集することができる。
【００３０】
まず、ユーザがマウスや表示装置４０の画面上のタッチパネル等の入力装置５０を通じて、編集要求を入力することにより、当該編集要求を監視操作卓用計算機３０の要求受付手段３０ａが受け付ける。そして、当該要求受付手段３０ａにより受け付けた編集要求が表示用設定情報編集・登録手段３０ｈに送信されることで、この表示用設定情報編集・登録手段３０ｈでは、表示用設定情報記憶部３０ｄにおいてユーザ毎に定義された各表示アイテムの表示用設定情報を、この編集要求に応じた所定の態様に編集し当該表示用設定情報記憶部３０ｄに設定する。
【００３１】
なお、第２の実施形態では、上記のような編集要求だけでなく、表示用設定情報編集・登録手段３０ｈを利用することで、ユーザ毎の表示用設定情報を新規に登録することも可能である。
【００３２】
具体的には、ユーザがマウスや表示装置４０の画面上のタッチパネル等の入力装置５０を通じて、表示用設定情報の新規設定要求を入力することにより、当該設定要求を監視操作卓用計算機３０の要求受付手段３０ａが受け付ける。そして、当該要求受付手段３０ａにより受け付けた設定要求が表示用設定情報編集・登録手段３０ｈに送信されることで、この表示用設定情報編集・登録手段３０ｈでは、表示用設定情報を当該設定要求に応じた所定の態様に設定し、表示用設定情報記憶部３０ｄに登録する。
【００３３】
以上のような第２の実施形態によれば、各ユーザが自由に各画面の表示アイテムの色やサイズ等の表示用設定情報を編集し、あるいは新規登録することができるため、ユーザに応じた作業効率の向上を図ることが可能となる。
【００３４】
［３．第３の実施形態］
［３．１．構成］
次に、本発明の第３の実施形態に係る電力系統監視制御装置の構成について図５を参照して説明する。なお、図５は、第３の実施形態に係る監視操作卓用計算機３０の具体的な構成を示す機能ブロック図である。
【００３５】
図５に示す通り、第３の実施形態では、第１の実施形態の構成に加え、監視操作卓用計算機３０が、入力装置５０によるマウスポインタ情報、及び後述する大型表示用設定情報読出手段３０ｋにより読み出された大型表示用設定情報を、大型表示装置用計算機２０の表示制御手段２０ａに通知する大型表示装置用表示情報通知手段３０ｉを有している。
【００３６】
監視操作卓用計算機３０は、また、大型表示装置１０に表示する表示アイテムの色、サイズや表示倍率等の大型表示用設定情報がユーザ毎に定義された大型表示用設定情報記憶部３０ｊと、当該大型表示用設定情報記憶部３０ｊから当該大型表示用設定情報を読み出す大型表示用設定情報読出手段３０ｋを有している。この大型表示用設定情報読出手段３０ｋは、入力装置５０又は認証装置７０からの認証情報に基づいて、大型表示用設定情報記憶部３０ｊから大型表示用設定情報を読み出す。
【００３７】
なお、大型表示用設定情報記憶部３０ｊは、図６に示す通り、ユーザに応じて予め設定された大型表示装置１０に表示する画面（画面１〜ｎ）毎の各表示アイテム（表示アイテム１〜ｍ）に対する色、サイズ、表示倍率、座標等の表示に関する大型表示用設定情報を格納する。
【００３８】
［３．２．作用効果］
上記のような構成を有する第３の実施形態に係る電力系統監視制御装置では、次のように大型表示装置１０への表示処理が行われる。
【００３９】
まず、ユーザにより、入力装置５０を通じてマウスポインタ情報と、当該入力装置５０又は認証装置７０により認証情報が入力されると、要求受付手段３０ａはこれらの情報を受け付ける。ここで、大型表示用設定情報読出手段３０ｋは、要求受付手段３０ａで受け付けた認証情報に基づいて、大型表示用設定情報記憶部３０ｊから大型表示用設定情報を読み出す。
【００４０】
そして、大型表示装置用表示情報通知手段３０ｉは、要求受付手段３０ａで受け付けたマウスポインタ情報と、大型表示用設定情報読出手段３０ｋにより読み出した大型表示用設定情報を、大型表示装置用計算機２０の表示制御手段２０ａに通知する。大型表示装置用計算機２０の表示制御手段２０ａは、大型表示装置用表示情報通知手段３０ｉにより通知されたマウスポインタ情報を画面上における座標位置を示す図形（例えば、矢印形）として大型表示装置１０に表示し、また、通知されたユーザ毎の大型表示用設定情報に基づいて、大型表示装置１０に、表示アイテムの拡大や色の変更等によるカスタマイズ表示を行う。
【００４１】
以上のような第３の実施形態によれば、各ユーザは、大型表示装置に対しても、表示する表示アイテムの色やサイズ等を任意にカスタマイズすることができるので、離れた位置にある当該大型表示装置に表示される内容の確認操作をより快適にし、操作性及び視覚的認識性を向上させる。
【００４２】
［４．第４の実施形態］
［４．１．構成］
次に、本発明の第４の実施形態に係る電力系統監視制御装置の構成について図７を参照して説明する。なお、図７は、第４の実施形態に係る監視操作卓用計算機３０の具体的な構成を示す機能ブロック図である。
【００４３】
図７に示す通り、第４の実施形態では、第１の実施形態の構成に加え、監視操作卓用計算機３０が、各表示アイテムが操作された際の、ガイド音声の出力の有無、ガイド音声のボリューム、ガイド音声の内容等であるガイド音声情報がユーザ毎に定義され格納されたガイド音声情報記憶部３０ｌを有している。
【００４４】
このガイド音声情報記憶部３０ｌは、図８に示す通り、ユーザに応じて予め設定された表示する画面（画面１〜ｎ）毎の各表示アイテム（表示アイテム１〜ｍ）に対するガイド音声出力の有無、ガイド音声ボリューム、ガイド音声の内容等であるガイド音声情報を格納する。
【００４５】
［４．２．作用効果］
上記のような構成を有する第４の実施形態に係る電力系統監視制御装置のガイド音声の出力処理は次のように行われる。
【００４６】
入力装置５０によるユーザからのガイド要求を監視操作卓用計算機３０の要求受付手段３０ａが受け付ける。そして、音声出力手段３０ｇは、要求受付手段３０ａで受け付けたガイド要求をもとに、ガイド音声情報記憶部３０ｌから当該ユーザのガイド音声情報を読み出し、このガイド音声情報に基づくガイド音声を出力する（出力が「無」と設定されている場合には出力しない。）
【００４７】
なお、ユーザからのガイド要求がない場合であっても、表示装置の画面上で表示変化が生じた際には、表示制御手段３０ｆが音声出力手段３０ｇにその旨を通知し、音声出力手段３０ｇは、音声出力手段３０ｇは、ガイド音声情報記憶部３０ｌからガイド音声情報を読み出し、このガイド音声情報に基づくガイド音声を出力する（出力が「無」と設定されている場合には出力しない。）
【００４８】
以上のような第４の実施形態によれば、ユーザ毎に定義された、ガイド音声の有無、ボリューム、出力内容等のガイド音声情報に応じた音声出力を実現することができるため、各ユーザによる操作効率を高め、音声ガイドに基づく画面操作をより確実なものとすることができる。
【００４９】
［５．第５の実施形態］
［５．１．構成］
次に、本発明の第５の実施形態に係る電力系統監視制御装置の構成について図９を参照して説明する。なお、図９は、第５の実施形態に係る監視操作卓用計算機３０の具体的な構成を示す機能ブロック図である。
【００５０】
図９に示す通り、第５の実施形態では、第１の実施形態の構成に加え、監視操作卓用計算機３０が、認証装置７０に用いるＩＣカードに設定された表示画面上における表示アイテムの色やサイズ等の表示用設定個人情報を表示用設定情報記憶部３０ｄに登録し、また、表示用設定情報記憶部３０ｄに格納されている表示用設定情報をＩＣカードに書き込む設定情報登録・書込手段３０ｍを有している。
【００５１】
なお、表示用設定個人情報を表示用設定情報記憶部３０ｄに登録する手段と、表示用設定情報記憶部３０ｄに格納されている表示用設定情報をＩＣカードに書き込む手段と、を別々に設けることも可能である。
【００５２】
また、ＩＣカードに設定される表示用設定個人情報は、図１０に示す通りである。すなわち、このＩＣカードには、ユーザＩＤに応じた画面毎の各表示アイテムに対する色、サイズや座標等の表示用設定個人情報が記憶されている。
【００５３】
［５．２．作用効果］
上記のような構成を有する第５の実施形態に係る電力系統監視制御装置における、ＩＣカードに設定された表示用設定個人情報の表示用設定情報記憶部３０ｄへの設定処理、及び当該表示用設定情報記憶部３０ｄからのＩＣカードへの書込処理は次のように行われる。
【００５４】
ＩＣカードに設定された表示用設定個人情報の表示用設定情報記憶部３０ｄへの設定処理について説明すると、まず、認証装置７０に用いるＩＣカードの認証情報を監視操作卓用計算機３０の要求受付手段３０ａが受け付ける。そして、認証手段３０ｂが、要求受付手段３０ａにより受け付けた認証情報とユーザ情報記憶部３０ｃに格納されたユーザ情報とを照合し、認証行為が正常であるかを判定する。
【００５５】
認証行為が正常であると判定された場合には、設定情報登録・書込手段３０ｍは、ＩＣカードに記録されたユーザ用の画面毎の各表示アイテムの色やサイズ等の表示用設定個人情報を読み込み、表示用設定情報記憶部３０ｄに登録する。これにより、ＩＣカード内の表示用設定個人情報が表示用設定情報として表示用設定情報記憶部３０ｄ設定される。
【００５６】
次に、表示用設定情報記憶部３０ｄからのＩＣカードへの書込処理について説明する。なお、認証装置７０に用いるＩＣカードの認証情報を監視操作卓用計算機３０の要求受付手段３０ａが受け付け、認証手段３０ｂが、要求受付手段３０ａにより受け付けた認証情報とユーザ情報記憶部３０ｃに格納されたユーザ情報とを照合し、認証行為が正常であると判定する状況を前提に説明する。
【００５７】
まず、ユーザにより入力装置５０を通じて、ＩＣカードへの書き込み要求が行われると、当該要求を要求受付手段３０ａが受け付ける。そして、設定情報登録・書込手段３０ｍがこの要求受付手段３０ａで受け付けた要求に基づいて、表示用設定情報記憶部３０ｄからＩＣカードのユーザに対応する表示用設定情報を読み出し、これを表示用設定個人情報として当該ＩＣカードに書き込む。このようなＩＣカードへの書込み処理は、例えば、ユーザが監視操作卓用計算機３０の使用開始後に、表示設定変更手段３０ｅを通じて、画面の表示アイテムのサイズや色を変更した場合に行われる。
【００５８】
以上のような第５の実施形態によれば、ＩＣカードに設定された表示アイテムの色やサイズ等の表示用設定情報を読み込み、あるいは当該ＩＣカードに対して監視操作卓用計算機に記憶されていた表示用設定情報を書込むことが可能となるので、ユーザ毎に監視操作卓用計算機を特定する必要はなくなり、より柔軟な操作環境を提供することができる。
【００５９】
［６．第６の実施形態］
［６．１．構成］
次に、本発明の第６の実施形態に係る電力系統監視制御装置の構成について図１１を参照して説明する。なお、図１１は、第６の実施形態に係る監視操作卓用計算機３０の具体的な構成を示す機能ブロック図である。
【００６０】
図１１に示す通り、第６の実施形態では、第１の実施形態の構成に加え、監視操作卓用計算機３０が、入力装置５０によるマウスポインタの表示色、サイズ、ダブルクリックの時間間隔、移動速度、左右クリックの動作設定等が定義されたマウス動作設定情報を記憶するマウス動作設定情報記憶部３０ｎと、当該マウス動作設定情報記憶部３０ｎからマウス動作設定情報を読み出し、表示制御手段３０ｆや要求受付手段３０ａに対して読み出したマウス動作を設定要求するマウス動作設定手段３０ｏを有している。
【００６１】
マウス動作設定情報記憶部３０ｎは、図１２に示す通り、ユーザに応じて予め設定されたマウスポインタの表示色、サイズ、ダブルクリックの時間間隔、移動速度、左右クリックの動作設定等のマウス動作設定情報を格納する。
【００６２】
［６．２．作用効果］
上記のような構成を有する第６の実施形態に係る電量系統監視制御装置によるマウス動作の設定処理は次のように行われる。
【００６３】
まず、ユーザにより入力装置５０を通じてマウス動作の設定要求があると、マウス動作設定手段３０ｏが、マウス動作設定情報記憶部３０ｎから当該ユーザに対応するマウス動作設定情報を読み出し、表示制御手段３０ｆ及び要求受付手段３０ａに対してマウス動作内容の変更を要求する。これにより、表示制御手段３０ｆは、変更要求されたマウス動作設定情報に対応するマウスポインタを表示装置４０の画面上に表示する。
【００６４】
以上のような第６の実施形態によれば、ユーザ毎のマウス動作に関する情報を設定することができるので、マウス操作が苦手な高齢者や左利きのユーザであっても画面操作を容易に行うことが可能となる。
【符号の説明】
【００６５】
１０…大型表示装置
２０…大型表示装置用計算機
２０ａ…表示制御手段
２０ｂ…大型画面用表示データ記憶部
３０（３０−１〜３０−ｎ）…監視操作卓用計算機
３０ａ…要求受付手段
３０ｂ…認証手段
３０ｃ…ユーザ情報記憶部
３０ｄ…表示用設定情報記憶部
３０ｅ…表示設定変更手段
３０ｆ…表示制御手段
３０ｇ…音声出力手段
３０ｈ…表示用設定情報編集・登録手段
３０ｉ…大型表示装置用表示情報通知手段
３０ｊ…大型表示用設定情報記憶部
３０ｋ…大型表示用設定情報読出手段
３０ｌ…ガイド音声情報記憶部
３０ｍ…設定情報登録・書込手段
３０ｎ…マウス動作設定情報記憶部
３０ｏ…マウス動作設定手段
４０…表示装置
５０…入力装置
６０…音声出力装置
７０…認証装置
８０…通信回線
９０…電力系統ネットワーク
１００…電力系統監視制御装置
【図１】
2011003034.tif 000003
【図２】
2011003034.tif 000004
【図３】
2011003034.tif 000005
【図４】
2011003034.tif 000006
【図５】
2011003034.tif 000007
【図６】
2011003034.tif 000008
【図７】
2011003034.tif 000009
【図８】
2011003034.tif 000010
【図９】
2011003034.tif 000011
【図１０】
2011003034.tif 000012
【図１１】
2011003034.tif 000013
【図１２】
2011003034.tif 000014